(57)【特許請求の範囲】
【請求項１】
画像を取得して外部に出力する内視鏡プロセッサと、
前記内視鏡プロセッサと接続される内視鏡スコープと、
前記内視鏡プロセッサに接続され、前記内視鏡プロセッサから画像を取得する外部装置と、
前記内視鏡プロセッサに設けられており、前記外部装置が前記内視鏡プロセッサに接続されたとき、前記内視鏡プロセッサと前記外部装置との接続状態を表示する表示装置と、
画像を出力する外部装置を選択する選択部と、
前記内視鏡スコープに設けられていて、静止画像の取得を前記内視鏡プロセッサに指示する指示部とを備え、
前記内視鏡プロセッサが、複数の外部装置それぞれと接続可能であり、
前記内視鏡プロセッサは、前記指示部による静止画像の取得指示がなされると、前記複数の外部装置の中で前記選択部により選択された外部装置と前記内視鏡プロセッサとの接続が検出されているか否かを判断し、
前記表示装置は、前記選択部により選択された外部装置が前記内視鏡プロセッサに接続されていないときに前記指示部が前記内視鏡プロセッサに静止画像の取得を指示したとき、前記内視鏡プロセッサのアイコンと、前記複数の外部装置のアイコンとを表示するとともに、前記複数の外部装置の中で前記内視鏡プロセッサと接続されている外部装置のアイコンと前記内視鏡プロセッサのアイコンとの間には接続線を表示する一方、前記内視鏡プロセッサと接続されていない外部装置のアイコンとの間には接続線を表示せず、
前記内視鏡プロセッサは、前記選択部により選択された外部装置が前記内視鏡プロセッサに接続されているときに前記指示部が前記内視鏡プロセッサに静止画像の取得を指示したとき、静止画像を選択された外部装置へ送信することを特徴とする内視鏡装置。
【請求項２】
前記内視鏡プロセッサと前記外部装置との接続状態をユーザに知らせる警告部をさらに備え、
前記警告部は、前記選択部により選択された外部装置が前記内視鏡プロセッサに接続されていないときに前記指示部が内視鏡プロセッサに静止画像の取得を指示したとき、警告を発することを特徴とする請求項１に記載の内視鏡装置。
【請求項３】
前記外部装置は、画像を記憶する記憶媒体であることを特徴とする請求項１に記載の内視鏡装置。
【請求項４】
前記外部装置は、画像を印刷するプリンタであることを特徴とする請求項１に記載の内視鏡装置。
【請求項５】
前記表示装置が、選択されている外部装置を示す選択チェックボックスを表示することを特徴とする請求項１に記載の内視鏡装置。
【発明の詳細な説明】
【技術分野】
【０００１】
本発明は、画像を受信するために設けられる外部装置との接続状態を表示可能な内視鏡装置に関する。
【背景技術】
【０００２】
内視鏡装置は、被験者の体内に挿入される内視鏡スコープと被験者の体外に設けられて画像処理を行う内視鏡プロセッサとを備える。内視鏡スコープは、観察対象物を撮像して得られた画像を内視鏡プロセッサに送信する。内視鏡プロセッサは、画像を画像処理した後、外部装置に送信する。外部装置は、ビデオプリンタ又はイメージファイル装置であって、受信した画像を印刷、あるいは記憶する（特許文献１）。
【先行技術文献】
【特許文献】
【０００３】
【特許文献１】特開２００１−２０４０１４号公報
【発明の概要】
【発明が解決しようとする課題】
【０００４】
しかし、外部装置に画像を印刷又は記憶させる場合、観察開始前に外部装置を内視鏡プロセッサに接続しなければならない。接続するのを忘れた場合、画像を印刷及び記憶することができないため、観察を中断して外部装置を接続する必要がある。観察は、滅菌された手袋等を身につけて行われるため、外部装置を接続するために手袋等を外さなければならず、観察開始後に外部装置を接続するのは煩雑である。
【０００５】
本発明はこれらの問題に鑑みてなされたものであり、接続された外部機器を容易に確認できる内視鏡装置を得ることを目的とする。
【課題を解決するための手段】
【０００６】
本発明の内視鏡装置は、画像を取得して外部に出力する内視鏡プロセッサと、内視鏡プロセッサと接続される内視鏡スコープと、内視鏡プロセッサに接続され、内視鏡プロセッサから画像を取得する外部装置と、外部装置が内視鏡プロセッサに接続されたとき、内視鏡プロセッサと外部装置との接続状態を表示する表示装置と、画像を出力する外部装置を選択する選択部と、内視鏡スコープに設けられていて、静止画像の取得を内視鏡プロセッサに指示する指示部とを備える。
【０００７】
内視鏡プロセッサは、指示部による静止画像の取得指示がなされると、先端部により選択された外部装置と内視鏡プロセッサとの接続が検出されているか否かを判断する。
【０００８】
表示装置は、選択部により選択された外部装置が内視鏡プロセッサに接続されていないときに指示部が内視鏡プロセッサに静止画像の取得を指示したとき、内視鏡プロセッサと外部装置との接続状態を表示する。
【０００９】
内視鏡プロセッサは、選択部により選択された外部装置が内視鏡プロセッサに接続されているときに指示部が内視鏡プロセッサに静止画像の取得を指示したとき、静止画像を選択された外部装置へ送信する。
【００１０】
例えば、内視鏡プロセッサと外部装置との接続状態をユーザに知らせる警告部をさらに備え、警告部は、選択部により選択された外部装置が内視鏡プロセッサに接続されていないときに指示部が内視鏡プロセッサに静止画像の取得を指示したとき、警告を発する。
【００１１】
例えば外部装置は、画像を記憶する記憶媒体である。
【００１２】
例えば外部装置は、画像を印刷するプリンタである。
【００１３】
例えば表示装置が、選択部により選択された外部装置が内視鏡プロセッサに接続されていないときに指示部が内視鏡プロセッサに静止画像の取得を指示したときから所定時間経過後に、表示した接続状態を消去して、接続状態を表示する直前に表示していた画面を表示する。
【発明の効果】
【００１４】
本発明によれば、接続された外部機器を容易に確認できる内視鏡装置を得る。
【図面の簡単な説明】
【００１５】
【図１】本願発明による内視鏡装置である。
【図２】内視鏡装置のブロック図である。
【図３】表示装置の画面を示した図である。
【図４】表示装置の画面を示した図である。
【図５】第１の接続状態表示処理を示したフローチャートである。
【図６】第２の接続状態表示処理を示したフローチャートである。
【発明を実施するための形態】
【００１６】
以下、本発明の一実施形態である内視鏡装置１００について添付図面を参照して説明する。
【００１７】
まず、図１を用いて内視鏡装置１００の概略について説明する。内視鏡装置１００は、被験者の体内に挿入される内視鏡スコープ２００と、被験者の体外に設けられて画像処理を行う内視鏡プロセッサ３００と、内視鏡プロセッサ３００に接続される表示装置であるメインモニタ４００とを主に備える。
【００１８】
内視鏡スコープ２００は、被験者の体内に挿入される可撓部２１０と、術者が保持する操作部２２０と、内視鏡スコープ２００と内視鏡プロセッサ３００とを接続するコネクタ２３０とを主に備える。可撓部２１０の遠位端は被験者の体内に挿入され、操作部２２０は可撓性のケーブルによりコネクタ２３０と接続される。複数のボタンスイッチ２２１が操作部２２０に設けられる。ボタンスイッチ２２１は指示部を成し、ユーザがボタンスイッチ２２１を押圧すると、可撓部２１０の遠位端に設けられた撮像素子から画像が内視鏡スコープ２００に送信される。
【００１９】
メインモニタ４００は、撮像素子を介して得た画像を動画として表示する。また、警告部の一部を成して、内視鏡装置１００にエラーが発生したときに警告を表示する。
【００２０】
内視鏡プロセッサ３００の外部には、タッチパネル付きのサブモニタ３１０が設けられる。サブモニタ３１０は表示装置及び選択部を成し、ユーザはサブモニタ３１０に表示された情報を見てからタッチパネルを操作して、内視鏡装置１００に対して動作指示を行う。また、キーボード３０１が内視鏡プロセッサ３００に接続され、様々なデータを内視鏡装置１００に入力する。
【００２１】
次に、図２を用いて内視鏡装置１００の内部構成について説明する。
【００２２】
内視鏡プロセッサ３００は、内視鏡装置１００の動作を制御するメインＣＰＵ３０２と、撮像した画像を一時的に記憶する補助記憶装置３０３と、画像の入出力を制御する入出力ＣＰＵ３０４と、画像を処理する信号処理部３０５とを主に備える。
【００２３】
メインＣＰＵ３０２は、ボタンスイッチ２２１、入出力ＣＰＵ３０４、及び信号処理部３０５と電気的に接続され、内視鏡装置１００における主な処理を担う。
【００２４】
入出力ＣＰＵ３０４は、サブモニタ３１０、メインＣＰＵ３０２、信号処理部３０５、補助記憶装置３０３、スピーカ３０７、及び複数の外部装置ＩＦ３０６と電気的に接続され、サブモニタ３１０や補助記憶装置３０３の制御を行う。
【００２５】
信号処理部３０５は、内視鏡スコープ２００が備える図示しない撮像素子、及びメインモニタ４００と電気的に接続される。
【００２６】
スピーカ３０７は、警告部の一部を成して、内視鏡装置１００にエラーが発生したときに警告音を発する。
【００２７】
外部装置ＩＦ３０６のそれぞれに外部装置３２０が接続可能である。入出力ＣＰＵ３０４は、外部装置ＩＦ３０６を介して外部装置３２０と画像を入出力する。外部装置３２０は、例えば、外付けＵＳＢハードディスク、ＵＳＢフラッシュメモリ、コンパクトフラッシュ（商標登録）カード、ＵＳＢ接続プリンタ、ＲＳ２３２Ｃ接続プリンタなどである。
【００２８】
次に、内視鏡装置１００の動作の概略について説明する。
【００２９】
観察前に、ユーザは画像を出力する外部装置３２０をサブモニタ３１０により選択する。選択する処理については後述される。
【００３０】
ユーザが可撓部２１０を人体の体内に挿入してボタンスイッチ２２１を押し下げると、画像が信号処理部３０５に送信される。信号処理部３０５は、画像を処理してメインモニタ４００及びメインＣＰＵ３０２に送信する。メインモニタ４００は画像を表示する。メインＣＰＵ３０２は、画像を入出力ＣＰＵ３０４に送信する。入出力ＣＰＵ３０４は、画像を補助記憶装置３０３に一時的に記憶した後、外部装置ＩＦ３０６を介して外部装置３２０に送信する。外部装置３２０は、画像を記憶、あるいは印刷する。
【００３１】
次に、図３を用いてサブモニタ３１０が表示する出力先設定詳細メニューについて説明する。出力先設定詳細メニューは、内視鏡プロセッサ３００と外部装置３２０との接続状態を示すメニューであって、ユーザがタッチパネルを操作して画像を出力する外部装置３２０を選択することが可能である。
【００３２】
サブモニタ３１０は、プロセッサアイコン３１１、接続線３１２、外部装置アイコン３１３、選択チェックボックス３１４、戻るアイコン３１５、及びトップアイコン３１６を用いて内視鏡プロセッサ３００と外部装置３２０との接続状態を表示する。
【００３３】
戻るアイコン３１５をユーザが触れると、サブモニタ３１０は、直前に表示していた画面を表示する。また、トップアイコン３１６をユーザが触れると、サブモニタ３１０は、画面表示において最も上位のメイン画面を表示する。
【００３４】
外部装置アイコン３１３の中には、対応する外部装置３２０の名称が表示される。接続線３１２及び外部装置アイコン３１３は、内視鏡プロセッサ３００と外部装置３２０との接続状態を示す。外部装置３２０が内視鏡プロセッサ３００と接続されているとき、外部装置アイコン３１３は黒色で明確に表示され、接続されている外部装置アイコン３１３と内視鏡プロセッサ３００との間に接続線３１２が表示される。接続されていない外部装置３２０に対応する外部装置アイコン３１３は灰色で表示され、接続されていない外部装置アイコン３１３と内視鏡プロセッサ３００との間に接続線３１２が表示されない。
【００３５】
選択チェックボックス３１４は、画像の出力先として選択されている外部装置３２０を示す。選択されている外部装置３２０の右側に表示される選択チェックボックス３１４の中には黒丸が表示される。外部装置３２０が出力先として選択されていながら接続されていない場合、対応する外部装置アイコン３１３は灰色で表示され、外部装置アイコン３１３の枠が他の外部装置アイコン３１３よりも太い赤色の枠で表示される。
【００３６】
次に、図４を用いて新たに外部装置３２０が接続されたときの出力先設定詳細メニューについて説明する。
【００３７】
新たに接続された外部装置３２０に対応する外部装置アイコン３１３の中には、新たに接続された外部装置３２０の名称が表示され、その外部装置アイコン３１３とプロセッサアイコン３１１とを接続線３１２がつなぐ。そして、その外部装置アイコン３１３は黒色で明確に表示される。さらに、その外部装置アイコン３１３の枠は、他の外部装置アイコン３１３よりも太い青色の枠で表示される。
【００３８】
次に、図５を用いて第１の接続状態表示処理を説明する。第１の接続状態表示処理は、入出力ＣＰＵ３０４において所定の間隔で反復して実行される。
【００３９】
始めのステップＳ５１で、入出力ＣＰＵ３０４が新たに外部装置３２０を検出したか否かを判断する。検出した場合、処理はステップＳ５２に進み、検出しない場合、処理は終了する。
【００４０】
ステップＳ５２では、サブモニタ３１０に出力先設定詳細メニューを表示する。ステップＳ５３では、所定の期間にユーザがタッチパネルを操作したか否かを判断する。操作した場合、処理はステップＳ５４に進み、操作しない場合、処理はステップＳ５３を繰り返す。
【００４１】
ステップＳ５４では、画像を出力する外部機器をユーザの操作に応じて変更した後、出力先設定詳細メニューを消去してメイン画面が表示される。そして処理が終了する。
【００４２】
新たに外部装置３２０が接続されたときに第１の接続状態表示処理を実行することによって、ユーザが迅速かつ容易に外部装置３２０を選択することができる。
【００４３】
次に、図６を用いて第２の接続状態表示処理を説明する。第２の接続状態表示処理は、ユーザがボタンスイッチ２２１を押し下げたときに実行される。
【００４４】
始めのステップＳ６１では、メインモニタ４００に表示されている画像を停止する。
【００４５】
ステップＳ６２では、画像の出力先として選択されている外部装置３２０が正しく検出されているか否かを判断する。正しく検出されている場合、処理はステップＳ６３に進み、メインモニタ４００に表示されている画像を静止画像としてキャプチャする。そして、次のステップＳ６４において、撮像素子から送られてきている画像を動画としてメインモニタ４００に表示する。
【００４６】
ステップＳ６２において外部装置３２０が正しく検出されていない場合、処理はステップＳ６５に進む。
【００４７】
ステップＳ６５では、スピーカ３０７にエラー音を発生させ、かつメインモニタ４００に「出力先未検出」と表示する。これにより、外部装置３２０が正しく検出されていないことにユーザが容易に気づくことができる。
【００４８】
ステップＳ６６では、サブモニタ３１０に出力先設定詳細メニューを表示する。ステップＳ６７では、所定の期間にユーザがタッチパネルを操作したか否かを判断する。操作した場合、処理はステップＳ６８に進み、操作しない場合、処理はステップＳ６７を繰り返す。
【００４９】
ステップＳ６８では、画像を出力する外部機器をユーザの操作に応じて変更した後、出力先設定詳細メニューを消去してメイン画面が表示される。そして処理が終了する。
【００５０】
接続されていない外部装置３２０に画像を送信しようとしたときに第２の接続状態表示処理を実行することによって、外部装置３２０が接続されていないことにユーザが迅速かつ容易に気づいて、さらに画像を出力可能な外部装置３２０を迅速かつ容易に選択することができる。
【００５１】
本実施形態によれば、画像を送信しようとした外部装置３２０にエラーがあっても、外部装置３２０のエラーにユーザが迅速かつ容易に気づいて、画像を出力可能な外部装置３２０を迅速かつ容易に選択することができる。
【００５２】
なお、接続されていない外部装置アイコン３１３の枠は赤色に限定されない。また、新たに接続された外部装置アイコン３１３の枠は青色に限定されない。このとき、接続されていない外部装置アイコン３１３の枠の色と、新たに接続された外部装置アイコン３１３の枠の色が異なることが好ましい。
【符号の説明】
【００５３】
１００   内視鏡装置
２００   内視鏡スコープ
２１０   可撓部
２２０   操作部
２２１   ボタンスイッチ
２３０   コネクタ
３００   内視鏡プロセッサ
３０１   キーボード
３０２   メインＣＰＵ
３０３   補助記憶装置
３０４   入出力ＣＰＵ
３０５   信号処理部
３０６   外部装置ＩＦ
３０７   スピーカ
３１０   サブモニタ
３１１   プロセッサアイコン
３１２   接続線
３１３   外部装置アイコン
３１４   選択チェックボックス
３１５   戻るアイコン
３１６   トップアイコン
３２０   外部装置
４００   メインモニタ
【図１】
0005974069.tif 000002
【図２】
0005974069.tif 000003
【図３】
0005974069.tif 000004
【図４】
0005974069.tif 000005
【図５】
0005974069.tif 000006
【図６】
0005974069.tif 000007